(57)【要約】【課題】外部電源を確保することが困難な場合にも医療品を長期間に亘って冷却または加温できる医療用ポータブルボックスを提供する。【解決手段】医療用ポータブルボックス１は、空間を有するケース２と、ケース２内を冷却または加温するペルチェ素子８と、ケース２に取り付けられペルチェ素子８に電力を供給するための太陽電池２１〜２４と、を有している。【選択図】        図３
2019080858.tif 000002
【特許請求の範囲】
【請求項１】
空間を有するケースと、
前記ケース内を冷却または加温するペルチェ素子と、
前記ケースに取り付けられ前記ペルチェ素子に電力を供給するための太陽電池と、
を備えていることを特徴とする、医療用ポータブルボックス。
【請求項２】
請求項１に記載の医療用ポータブルボックスであって、
前記太陽電池が折りたたみ可能に構成されていることを特徴とする、医療用ポータブルボックス。
【請求項３】
請求項１または請求項２に記載の医療用ポータブルボックスであって、
前記ケースに対する前記太陽電池の向きが変更可能に構成されていることを特徴とする、医療用ポータブルボックス。
【請求項４】
請求項１〜請求項３の何れか１項に記載の医療用ポータブルボックスであって、
前記太陽電池の受光面へ光を集めるための集光用パネルをさらに備え、
前記集光用パネルが折りたたみ可能に構成されていることを特徴とする、医療用ポータブルボックス。
【請求項５】
請求項１〜請求項４の何れか１項に記載の医療用ポータブルボックスであって、
前記ケース内の空間を複数に区切ることで形成された複数の小部屋部と、
複数の前記小部屋部の開口部を塞ぐ複数の小扉と、をさらに備え、
複数の前記小扉は、互いに独立して開閉可能に構成されていることを特徴とする、医療用ポータブルボックス。
【請求項６】
請求項５に記載の医療用ポータブルボックスであって、
複数の前記小部屋部として、外側小部屋部と、この外側小部屋部に対して前記ケースの内側に配置された内側小部屋部と、が設けられ、
前記小扉として、前記外側小部屋部を塞ぐ外側小扉と、前記内側小部屋部を塞ぐ内側小扉と、が設けられていることを特徴とする、医療用ポータブルボックス。
【請求項７】
請求項１〜請求項６の何れか１項に記載の医療用ポータブルボックスであって、
前記ケース内の空間を複数に区切ることで形成された複数の小部屋部と、
各前記小部屋部に配置されたスイッチと、
をさらに備え、
前記ペルチェ素子は、複数の前記小部屋部のそれぞれに配置され、
前記スイッチは、対応する前記小部屋部に物品が挿入されたときにオンにされることで前記ペルチェ素子を駆動させるように構成され、且つ、対応する前記小部屋部から前記物品が取り出されたときにオフにされることで前記ペルチェ素子を停止させるように構成されていることを特徴とする、医療用ポータブルボックス。
【請求項８】
請求項７に記載の医療用ポータブルボックスであって、
前記スイッチが、押ボタンスイッチ、タクタイルスイッチ、トグルスイッチ、ロッカースイッチ、赤外線センサ、磁気センサ、および、画像認識カメラのいずれかを用いるスイッチの一種または複数の組合せであることを特徴とする、医療用ポータブルボックス。
【請求項９】
請求項１〜請求項８の何れか１項に記載の医療用ポータブルボックスであって、
前記ケースは、保冷剤を収容するための保冷剤収容部を含んでいることを特徴とする、医療用ポータブルボックス。
【請求項１０】
請求項１〜請求項９の何れか１項に記載の医療用ポータブルボックスであって、
前記ケースの外殻部側に形成された外側中空部と、この外側中空部の内側に形成された内側中空部と、をさらに備え、
前記ペルチェ素子として、前記外側中空部に配置された外側ペルチェ素子と、前記内側中空部に配置された内側ペルチェ素子と、が設けられ、
前記外側ペルチェ素子の駆動態様と前記内側ペルチェ素子の駆動態様とが異ならされていることを特徴とする、医療用ポータブルボックス。
【請求項１１】
請求項１〜請求項１０の何れか１項に記載の医療用ポータブルボックスであって、
前記ケースの外殻部に形成された外側中空部と、
この外側中空部の内側に形成された内側中空部と、
前記内側中空部と前記外側中空部とを互いに連通させる通気口と、
前記外側中空部と前記内側中空部との間で気体を流動させるファンと、
をさらに備えていることを特徴とする、医療用ポータブルボックス。
【発明の詳細な説明】
【技術分野】
【０００１】
本発明は、医療用ポータブルボックスに関する。
【背景技術】
【０００２】
医療品を所定の温度に維持しながら搬送するためのするための病理検体等運搬用容器が知られている（例えば、特許文献１参照）。特許文献１に記載の容器は、ペルチェ素子に電力を与えることで、このペルチェ素子によって箱体内の検体を加熱または冷却する。
【先行技術文献】
【特許文献】
【０００３】
【特許文献１】特開平８−２８５８３９号公報
【発明の概要】
【発明が解決しようとする課題】
【０００４】
例えば僻地において医療従事者が医療品を携帯しながら搬送する場合、外部電源を確保できない場合がある。このような場合においても、医療品を所定の温度に維持できるようにすることが求められている。しかしながら、特許文献１に記載の構成では、蓄電池の残量がゼロになると、ペルチェ素子が停止してしまい、加熱または冷却動作を行えなくなってしまう。
【０００５】
本発明は、上記実情に鑑みることにより、外部電源を確保することが困難な場合にも医療品を長期間に亘って冷却または加温できる医療用ポータブルボックスを提供することを目的とする。
【課題を解決するための手段】
【０００６】
（１）上記目的を達成するための本発明のある局面に係る医療用ポータブルボックスは、空間を有するケースと、前記ケース内を冷却または加温するペルチェ素子と、前記ケースに取り付けられ前記ペルチェ素子に電力を供給するための太陽電池と、を備えている。
【０００７】
この構成によると、ペルチェ素子は、太陽電池の発電動作によって生じた電力を用いて動作することができる。これにより、外部電源を確保することが困難な場合にも医療品を長期化に亘って冷却または加温できる。
【０００８】
（２）前記医療用ポータブルボックスにおいて、前記太陽電池が折りたたみ可能に構成されている場合がある。
【０００９】
この場合、太陽電池による発電時には太陽電池を広げた状態にすることで、太陽電池の発電量をより多くできる。また、例えば、医療用ポータブルボックスが搬送されるとき等においては、太陽電池を折りたたむことで、太陽電池をコンパクトにして搬送の邪魔にならないようにすることができる。このように、必要に応じて太陽電池を最適に配置できる。
【００１０】
（３）前記医療用ポータブルボックスは、前記ケースに対する前記太陽電池の向きが変更可能に構成されている場合がある。
【００１１】
この場合、ケース自体を動かすことなく、太陽電池の受光面の向きを変更することができるので、ケースを傾けることなく太陽電池の発電量をより多くできる。
【００１２】
（４）前記医療用ポータブルボックスは、前記太陽電池の受光面へ光を集めるための集光用パネルをさらに備え、前記集光用パネルが折りたたみ可能に構成されている場合がある。
【００１３】
この場合、集光用パネルが設けられていることにより、太陽電池の受光面へより多くの光を集めることができる。これにより、太陽電池の発電量をより多くできる。また、例えば、医療用ポータブルボックスが搬送されるとき等においては、集光用パネルを折りたたむことで、集光用パネルをコンパクトにして搬送の邪魔にならないようにすることができる。
【００１４】
（５）前記医療用ポータブルボックスは、前記ケース内の空間を複数に区切ることで形成された複数の小部屋部と、複数の前記小部屋部の開口部を塞ぐ複数の小扉と、をさらに備え、複数の前記小扉は、互いに独立して開閉可能に構成されている場合がある。
【００１５】
この場合、必要な医療品が収容されている小部屋部の小扉を開くことで、当該医療品をケースから取り出すことができる。また、ケースに引き続き保管される医療品が収容されている小部屋部の小扉を開かずに済む。これにより、ケース内の医療品に不要な温度変化を与えることを抑制できる。特に、高温地帯または低温地帯において、ケース内の医療品に不要な温度変化を与えることを抑制できる効果が顕著である。
【００１６】
（６）複数の前記小部屋部として、外側小部屋部と、この外側小部屋部に対して前記ケースの内側に配置された内側小部屋部と、が設けられ、前記小扉として、前記外側小部屋部を塞ぐ外側小扉と、前記内側小部屋部を塞ぐ内側小扉と、が設けられている場合がある。
【００１７】
この場合、外気の影響を受けやすい外側小部屋部から外気の影響を受けにくい内側小部屋部へ順に医療品を取り出すことで、外気の影響をより受けにくい態様でより長時間に亘って複数の医療品を医療用ポータブルボックスに収容しておくことができる。
【００１８】
（７）前記医療用ポータブルボックスは、前記ケース内の空間を複数に区切ることで形成された複数の小部屋部と、各前記小部屋部に配置されたスイッチと、をさらに備え、前記ペルチェ素子は、複数の前記小部屋部のそれぞれに配置され、前記スイッチは、対応する前記小部屋部に物品が挿入されたときにオンにされることで前記ペルチェ素子を駆動させるように構成され、且つ、対応する前記小部屋部から前記物品が取り出されたときにオフにされることで前記ペルチェ素子を停止させるように構成されている場合がある。
【００１９】
この場合、各小部屋部を個別に温度制御できる。また、医療品が取り出された小部屋部においては、ペルチェ素子が停止されることで、空の小部屋部をペルチェ素子で温度制御するという無駄な動作が行われずに済む。これにより、より省エネルギー性に優れた医療用ポータブルボックスを実現できる。
【００２０】
（８）前記スイッチが、押ボタンスイッチ、タクタイルスイッチ、トグルスイッチ、ロッカースイッチ、赤外線センサ、磁気センサ、および、画像認識カメラのいずれかを用いるスイッチの一種または複数の組合せである場合がある。
【００２１】
このような種々のスイッチを採用することができるため、医療用ポータブルボックスの設計の自由度をより高くできる。
【００２２】
（９）前記ケースは、保冷剤を収容するための保冷剤収容部を含んでいる場合がある。
【００２３】
この場合、ペルチェ素子と協働して、または、ペルチェ素子が停止したときのバックアップ用冷却剤として、保冷剤によるケース内の保冷を行うことができる。
【００２４】
（１０）前記医療用ポータブルボックスは、前記ケースの外殻部側に形成された外側中空部と、この外側中空部の内側に形成された内側中空部と、さらに備え、前記ペルチェ素子として、前記外側中空部に配置された外側ペルチェ素子と、前記内側中空部に配置された内側ペルチェ素子と、が設けられ、前記外側ペルチェ素子の駆動態様と前記内側ペルチェ素子の駆動態様とが異ならされている場合がある。
【００２５】
この場合、内側ペルチェ素子と外側ペルチェ素子を、ケース内の温度調整効果をより高くできるような態様で、動作させることができる。
【００２６】
（１１）前記医療用ポータブルボックスは、前記ケースの外殻部に形成された外側中空部と、この外側中空部の内側に形成された内側中空部と、前記内側中空部と前記外側中空部とを互いに連通させる通気口と、前記外側中空部と前記内側中空部との間で気体を流動させるファンと、さらに備えている場合がある。
【００２７】
この場合、外側中空部と内側中空部との間で気体をファンによって流動させることにより、ケース内部の温度を調整できる。
【発明の効果】
【００２８】
本発明によると、外部電源を確保することが困難な場合にも医療品を長期間に亘って冷却または加温できる医療用ポータブルボックスを実現できる。
【図面の簡単な説明】
【００２９】
【図１】本発明の一実施形態に係る医療用ポータブルボックスの模式的な斜視図であり、複数の太陽電池が開かれた状態を示している。
【図２】医療用ポータブルボックスの模式的な側面図であり、一部の図示を省略しているとともに一部を断面で示している。
【図３】医療用ポータブルボックスの模式的な斜視図であり、外蓋が開かれた状態を示している。
【図４】本発明の第１変形例に係る医療用ポータブルボックスの主要部を示す斜視図である。
【図５】本発明の第２変形例の主要部を示す断面図である。
【図６】本発明の第３変形例の主要部を示す断面図である。
【図７】本発明の第４変形例の模式的な側面図である。
【図８】（Ａ）は、別の変形例の主要部を示す模式的な斜視図である。（Ｂ）は、さらなる別の変形例の主要部を示す模式的な斜視図である。
【発明を実施するための形態】
【００３０】
以下、本発明を実施するための形態について図面を参照しつつ説明する。
【００３１】
図１は、本発明の一実施形態に係る医療用ポータブルボックス１の模式的な斜視図であり、複数の太陽電池２２〜２４が開かれた状態を示している。図２は、医療用ポータブルボックス１の模式的な側面図であり、一部の図示を省略しているとともに一部を断面で示している。図３は、医療用ポータブルボックス１の模式的な斜視図であり、外蓋５が開かれた状態を示している。図３において、一部は想像線である二点鎖線で示されている。
【００３２】
図１〜図３を参照して、医療用ポータブルボックス１は、人間または動物等の処置対象に処置を施すための医療品１００を人手で搬送するために用いられる。本明細書では、医療品１００として、医薬品、移植用臓器等、人間または動物への処置に関連する品を例示することができる。なお、医療用ポータブルボックス１で搬送される物品として、医療品以外の物品が含まれていてもよい。
【００３３】
医療用ポータブルボックス１は、例えば、一人または二人の人間による人力によって搬送可能な大きさを有している。医療用ポータブルボックス１は、特に、外部電源を確保することが困難な地域、例えば、高山地帯等の僻地において医療品１００を搬送するのに適している。なお、以下では、医療用ポータブルボックス１を平面視した状態を基準として、前後左右をいうものとする。
【００３４】
医療用ポータブルボックス１は、ケース２と、バッテリ３と、太陽電池ユニット６と、集光用パネル７と、ペルチェ素子８と、を有している。
【００３５】
ケース２は、医療品１００を収容するための収容室９を形成する、医療用ポータブルボックス１の本体部として設けられている。ケース２は、中空の箱状に形成されている。
【００３６】
ケース２は、ケース本体１０と、ケース本体１０に取り付けられた外蓋５と、を有している。
【００３７】
ケース本体１０は、中空に形成されて空間を有しており、上面が開放されている。ケース本体１０は、本実施形態では、下端が閉じられた四角形筒状に形成されている。
【００３８】
ケース本体１０は、底壁１１と、この底壁１１の外周部を取り囲む周壁１２と、を含んでいる。
【００３９】
底壁１１は、例えば矩形状に形成されている。また、周壁１２は、例えば、略矩形状の板状部分を４枚組み合わせるようにして形成されている。なお、周壁１２は、円筒形等の他の形状であってもよい。底壁１１および周壁１２は、例えば、プラスチック等の合成樹脂製の外殻部内に断熱材が配置された構成を有している。底壁１１に、充電可能な蓄電池（二次電池）であるバッテリ３が収容されている。周壁１２の上端部に、ケース本体１０の開口部１０ａが形成されている。底壁１１および周壁１２が、収容室９を形成している。
【００４０】
収容室９には、複数の小部屋部１３が形成されている。小部屋部１３は、ケース２内の空間（収容室９）を、収容室９内に設けられた隔壁１４によって複数に区切ることで形成されている。本実施形態では、各小部屋部１３は、互いに等しい容量（収容空間）を形成しているけれども、この通りでなくてもよい。本実施形態では、４つの小部屋部１３が形成されている。本実施形態では、隔壁１４は、ケース本体１０を上方から見て＋形状に配置されており、左右に延びる１つの壁部と前後に延びる１つの壁部とを含んでいる。これにより、平面視において、前後左右それぞれに２×２の格子状の小部屋部１３が形成されている。各小部屋部１３は、互いに区切られている。
【００４１】
各小部屋部１３の開口部は、開閉可能な小扉４によって塞がれる。小扉４は、平板状に形成されており、１つの小部屋部１３に１つ設けられている。すなわち、複数の小部屋部１３に開口部を塞ぐ複数の小扉４が設けられている。各小扉４は、対応する小部屋部１３の開口部の全体を塞ぐように閉じられる。各小扉４は、ヒンジ部４ａを介して周壁１２の後端部上面、または、隔壁１４の上面に取り付けられており、このヒンジ部４ａ回りを回転することで、開閉動作する。なお、各小扉４において、ヒンジ部４ａは、小扉４の四辺の何れか一辺に取り付けられていればよく、具体的な取付位置は限定されない。各小扉４は、互いに独立して開閉可能である。これにより、複数の小部屋部１３の何れかから医療品１００を取り出す際に、当該医療品１００が収容されている小部屋部１３の小扉４のみを開くことが可能である。
【００４２】
各小部屋部１３には、スイッチ１５およびペルチェ素子８が設けられている。すなわち、１つの小部屋部１３毎にスイッチ１５およびペルチェ素子８が設けられている。
【００４３】
スイッチ１５は、対応する小部屋部１３に医療品１００が挿入されたときにオンにされることで対応するペルチェ素子８を駆動させるように構成されており、且つ、対応する小部屋部１３から医療品１００が取り出されたときにオフにされることで対応するペルチェ素子８の駆動を停止するように構成されている。スイッチ１５として、接触式スイッチ、および、非接触式スイッチを例示できる。接触式スイッチとして、押ボタンスイッチ、タクタイルスイッチ、トグルスイッチ、ロッカースイッチ等を例示することができる。非接触式スイッチとして、赤外線センサ、磁気センサ、画像認識カメラを用いたスイッチを例示できる。また、スイッチとして、各上記スイッチの一種を一つまたは複数用いてもよいし、複数種のスイッチをそれぞれ一つまたは複数用いてもよい。なお、接触式スイッチであれば、待機電力が不要であるので、より省エネルギー性に優れる。
【００４４】
スイッチ１５は、対応する小部屋部１３の開口部近くに配置されていてもよいし、底壁１１付近に配置されていてもよい。スイッチ１５が小部屋部１３の開口部近くに配置されている場合、小部屋部１３に対する医療品１００の出し入れに伴ってより確実にスイッチ１５を動作させることができる。また、スイッチ１５が小部屋部１３の底壁１１付近に配置されている場合、小部屋部１３に対する医療品１００の出し入れの邪魔となることをより確実に防止できる。本実施形態では、一例として、小部屋部１３の底部にスイッチ１５が配置されている。
【００４５】
ペルチェ素子８は、一対の熱伝達板の間に半導体が配置された熱電素子であり、電流が流されることにより、一方の熱伝達板が吸熱するとともに他方の熱伝達板が熱を放出するように構成されている。ペルチェ素子８は、本実施形態では、底壁１１に取り付けられており、当該ペルチェ素子８の吸熱面が対応する小部屋部１３の内側を向いている。これにより、ペルチェ素子８は、バッテリ３および太陽電池ユニット６の少なくとも一方からの電力を与えられることでケース２内の対応する小部屋部１３を冷却する。
【００４６】
ペルチェ素子８の発熱面は、底壁１１の底面１１ａに開放されており、この底面１１ａ側からケース本体１０の外部に向けて放熱するように構成されている。なお、ペルチェ素子８の発熱面に、アルミニウム等の熱伝導性に優れた材料で形成されたヒートシンクを設けて、このヒートシンクを底壁１１の底面に露呈させてもよい。この場合、ペルチェ素子８からの熱は、ヒートシンクを介してケース本体１０の外部へ放出される。また、本実施形態では、１つの小部屋部１３に１つのペルチェ素子８を配置する形態を例に説明するけれども、この通りでなくてもよい。例えば、１つの小部屋部１３に複数のペルチェ素子８を設置してもよい。
【００４７】
また、本実施形態では、ペルチェ素子８によってケース２内が冷却される形態を例に説明するけれども、この通りでなくてもよい。例えば、ペルチェ素子８に流れる電流の向きを変えることで吸熱面と放熱面の配置を電気的に入れ替え、ペルチェ素子８によってケース２内を加温してもよい。このように、ペルチェ素子８への電流の向きを変えることで、ペルチェ素子８の吸熱面の位置と放熱面の位置とを物理的に入れ替えることなく、ペルチェ素子８によるケース２内の冷却動作とケース２内の加温動作とを択一的に行うことが可能である。医療用ポータブルボックス１を冷却容器として用いるとともに加温容器としても用いる場合、ペルチェ素子８への直流電流の流れ方向を切り替えるためのスイッチ回路（図示せず）が設けられることが好ましい。なお、後述する変形例で説明される、ペルチェ素子８以外のペルチェ素子についても、ペルチェ素子８と同様に、与えられる電流の向きを変えることで、冷却機構と加温機能とを発揮できる。
【００４８】
ペルチェ素子８は、同じ小部屋部１３に配置されたスイッチ１５を介して太陽電池ユニット６の各太陽電池２１〜２４と電気的に接続されている。太陽電池２１〜２４は、外蓋５に取り付けられている。
【００４９】
外蓋５は、ケース本体１０の開口部１０ａを開閉するために設けられているとともに、太陽電池ユニット６および集光用パネル７を保持するために設けられている。外蓋５は、例えば、プラスチック等の合成樹脂製の外殻部内に断熱材が配置された構成を有しており、全体として略矩形の平板状に形成されている。外蓋５の後縁部には、ヒンジ部５ａが取り付けられている。ヒンジ部５ａは、ケース本体１０の後縁部に取り付けられている。この構成により、外蓋５は、ヒンジ部５ａ回りを回転することで、ケース本体１０の開口部１０ａを開閉し、各小扉４をケース２の外部に露呈した状態と、各小扉４をケース２に覆われた状態とに切り替える。外蓋５の例えば上部に、太陽電池ユニット６が配置されている。
【００５０】
太陽電池ユニット６は、複数（本実施形態では、４つ）の太陽電池２１〜２４を有している。各太陽電池２１〜２４は、例えば、多結晶または単結晶のシリコン太陽電池モジュール等である。なお、各太陽電池２１〜２４は、太陽光等の光を当てられることにより光エネルギーを電力に変換することが可能な構成であれば、具体的な構成は限定されない。
【００５１】
各太陽電池２１〜２４は、ケース２の外蓋５に取り付けられている。各太陽電池２１〜２４は、図示しない電線を介してスイッチ１５および各ペルチェ素子８と電気的に接続されており、各ペルチェ素子８へ電力を供給する。また、各太陽電池２１〜２４は、バッテリ３にも接続されており、バッテリ３を充電可能である。さらに、バッテリ３は、図示しない電線を介してスイッチ１５および各ペルチェ素子８と電気的に接続されている。
【００５２】
本実施形態では、各太陽電池２１〜２４は、ケース２の外蓋５に対する向きを変更可能に構成されている。また、本実施形態では、各太陽電池２１〜２４は、ケース２に対して折りたたみ可能に構成されている。
【００５３】
太陽電池２１は、ケース２の外蓋５の上面に設置されている。太陽電池２１は、太陽電池２１〜２４の中で最も大きい受光面面積を有している。太陽電池２１は、矩形状に形成されており、ケース２の上面の略全面を覆っている。太陽電池２１の受光面が上向きに配置されている。太陽電池２１は、ケース２の外蓋５の上面に、球面継手等の向き調整部材２５を介して取り付けられている。これにより、ケース２に対する太陽電池２１の受光面の向きを変更可能である。向き調整部材２５は、例えば、外蓋５と太陽電池２１との間に配置されており、本実施形態では、平面視における外蓋５の略中央に配置されている。
【００５４】
太陽電池２１を取り囲むように、太陽電池２２〜２４が配置されている。
【００５５】
太陽電池２２，２３は、ケース２の外蓋５の左右両端縁に配置されている。太陽電池２２，２３は、ケース２の左右両端縁に沿って延びる形状に形成されており、本実施形態では、矩形状に形成されている。太陽電池２２は、外蓋５の左端縁に取り付けられたヒンジ部２２ａに取り付けられており、このヒンジ部２２ａを介して外蓋５に取り付けられている。ヒンジ部２３ａは、外蓋５の右端縁に取り付けられたヒンジ部２３ａに取り付けられており、このヒンジ部２３ａを介して外蓋５に取り付けられている。太陽電池２２，２３は、対応するヒンジ部２２ａ，２３ａ回りを回転することにより、開いた状態（図１に示す状態）と、閉じた状態とを切り替えることができる。また、太陽電池２２，２３は、太陽電池２１に重ねられるように閉じられることで、折りたたまれた状態となる。
【００５６】
太陽電池２４は、ケース２の前端縁に配置されている。太陽電池２４は、ケース２の前端縁に沿って延びる形状に形成されており、本実施形態では、矩形状に形成されている。太陽電池２４は、外蓋５の前端縁に取り付けられたヒンジ部２４ａに取り付けられており、このヒンジ部２４ａを介して外蓋５に取り付けられている。太陽電池２４は、ヒンジ部２４ａ回りを回転することにより、図１に示す開いた状態と、図３に示す閉じた状態とを切り替えることができる。また、太陽電池２４は、太陽電池２１に重ねられるように閉じられることで、折りたたまれた状態となる。
【００５７】
太陽電池２４は、ヒンジ部２４ａに連結された中央部２４ｂと、中央部２４ｂの左右両端部にヒンジ部２４ｅ，２４ｆを介して連結された一対の側部２４ｃ，２４ｄと、を有している。中央部２４ｂおよび側部２４ｃ，２４ｄは、それぞれ、矩形状に形成されている。側部２４ｃ，２４ｄは、中央部２４ｂに対して開かれた状態となることで、ケース２の左右両端部から左右に飛び出すように配置される。これにより、太陽電池２４における受光面２６の受光面積をより広くできる。一方、側部２４ｃ，２４ｄは、中央部２４ｂに対して閉じられた（畳まれた）状態となることで、ケース２の左右両端部から左右に飛び出さないように配置される。これにより、医療用ポータブルボックス１の搬送時に、太陽電池２４の側部２４ｃ，２４ｄが邪魔にならずに済む。
【００５８】
なお、太陽電池パネルは、ケース本体１０の周壁１２の外周面に取り付けられていてもよい。
【００５９】
集光用パネル７は、各太陽電池２１〜２４の受光面２６へ光を集めるために設けられている。本実施形態では、集光用パネル７は、凸面鏡等によって形成されている。集光用パネル７は、各太陽電池２１〜２４の受光面２６へ光を反射することが可能な構成であればよく、具体的な構成は限定されない。集光用パネル７は、ケース２に対して折りたたみ可能に構成されている。
【００６０】
集光用パネル７は、外蓋５の後端縁に配置されている。集光用パネル７は、外蓋５の後端縁に沿って延びる形状に形成されており、本実施形態では、左右に細長い形状に形成されている。集光用パネル７は、ケース２の外蓋５の後端縁に取り付けられたヒンジ部７ａに取り付けられており、このヒンジ部７ａを介して外蓋５に取り付けられている。集光用パネル７は、ヒンジ部７ａ回りを回転することにより、図１に示す開いた状態と、閉じた状態とを切り替えることができる。また、集光用パネル７は、太陽電池２１〜２４に重ねられるように閉じられることで、折りたたまれた状態となる。
【００６１】
なお、太陽電池２１〜２４は、ケース２に対して閉じられた状態のとき、受光面２６がケース２の内側（外蓋５と向かい合う向き）を向くことが好ましい。同様に、集光パネル７は、ケース２に対して閉じられた状態のとき、光反射面がケース２の内側を向くことが好ましい。この構成により、受光面２６および光反射面に異物を接触し難くできる。
【００６２】
本実施形態では、太陽電池２２〜２４を支持するヒンジ部２２ａ〜２４ａ、太陽電池２４のヒンジ部２４ｅ，２４ｆ、および、集光パネル７のヒンジ部７ａは、対応する太陽電池２２〜２４および集光用パネル７の回転位置を維持することが可能なように構成されている。すなわち、ヒンジ部２２ａ〜２４ａ，２４ｅ，２４ｆ，７ａは、人の手等で太陽電池２２〜２４および集光用パネル７が支えられていなくても、回転位置を維持されるように、構成されている。このような構成は、公知の構成であればよく、特に限定されない。
【００６３】
以上説明したように、本実施形態によると、ペルチェ素子８は、太陽電池２１〜２４の発電動作によって生じた電力を用いて動作することができる。これにより、外部電源を確保することが困難な場合にも医療品１００を長期間に亘って冷却または加温できる。
【００６４】
また、本実施形態によると、太陽電池２２〜２４が折りたたみ可能に構成されている。この構成によると、太陽電池２１〜２４による発電時には太陽電池２１〜２４を広げた状態にすることで、太陽電池２１〜２４の発電量をより多くできる。また、例えば、医療用ポータブルボックス１が搬送されるとき等においては、太陽電池２２〜２４を折りたたむことで、太陽電池２２〜２４をコンパクトにして搬送の邪魔にならないようにすることができる。このように、必要に応じて太陽電池２２〜２４を最適に配置できる。
【００６５】
また、本実施形態では、ケース２に対する太陽電池２２〜２４の向きが変更可能に構成されている。この場合、ケース２自体を動かすことなく、太陽電池２２〜２４の受光面２６の向きを変更することができるので、ケース２を傾けることなく太陽電池２２〜２４の発電量をより多くできる。
【００６６】
また、本実施形態では、集光用パネル７が折りたたみ可能に構成されている。この場合、集光用パネル７が設けられていることにより、太陽電池２１〜２４の受光面２６へより多くの光を集めることができる。これにより、太陽電池２１〜２４の発電量をより多くできる。また、例えば、医療用ポータブルボックス１が搬送されるとき等においては、集光用パネル７を折りたたむことで、集光用パネル７をコンパクトにして搬送の邪魔にならないようにすることができる。
【００６７】
また、本実施形態では、複数の小部屋部１３のそれぞれに設けられた小扉４は、互いに独立して開閉可能に構成されている。この構成によると、必要な医療品１００が収容されている小部屋部１３の小扉４を開くことで、当該医療品１００をケース２から取り出すことができる。また、ケース２に引き続き保管される医療品１００が収容されている小部屋部１３の小扉４を開かずに済む。これにより、ケース２内の医療品１００に不要な温度変化を与えることを抑制できる。特に、高温地帯または低温地帯において、ケース２内の医療品１００に不要な温度変化を与えることを抑制できる効果が顕著である。
【００６８】
また、本実施形態では、ペルチェ素子８は、複数の小部屋部１３のそれぞれに配置されている。さらに、スイッチ１５は、対応する小部屋部１３に医療品１００が挿入されたときにオンにされることでペルチェ素子８を駆動させるように構成され、且つ、対応する小部屋部１３から医療品１００が取り出されたときにオフにされることでペルチェ素子８を停止させるように構成されている。この構成によると、各小部屋部１３を個別に温度制御できる。また、医療品１００が取り出された小部屋部１３においては、ペルチェ素子８が停止されることで、空の小部屋部１３をペルチェ素子８で冷却するという無駄な動作が行われずに済む。これにより、より省エネルギー性に優れた医療用ポータブルボックス１を実現できる。
【００６９】
また、本実施形態では、スイッチ１５が、押ボタンスイッチ、タクタイルスイッチ、トグルスイッチ、ロッカースイッチ、赤外線センサ、磁気センサ、および、画像認識カメラのいずれかを用いるスイッチの一種または複数の組合せである。このような種々のスイッチを採用することができるため、医療用ポータブルボックス１の設計の自由度をより高くできる。
【００７０】
以上、本発明の実施形態について説明したけれども、本発明は上述の実施の形態に限られず、特許請求の範囲に記載した限りにおいて様々な変更が可能である。なお、以下では、上述の実施形態と異なる点について主に説明し、上述の実施形態と同様の構成には図に同様の符号を付して詳細な説明は省略する。
【００７１】
＜第１変形例＞
図４は、本発明の第１変形例に係る医療用ポータブルボックス１Ａの主要部を示す斜視図である。医療用ポータブルボックス１Ａが医療用ポータブルボックス１と異なっているのは、主に、収容室９内の小部屋部の構成である。
【００７２】
医療用ポータブルボックス１Ａは、ケース２と、複数の小扉としての外側小扉３１および内側小扉３２と、太陽電池ユニット６と、集光用パネル７と、ペルチェ素子８と、を有している。
【００７３】
収容室９には、複数の小部屋部としての外側小部屋部３３、および、この外側小部屋部３３に対してケース２の内側に配置された内側小部屋部３４が設けられている。
【００７４】
外側小部屋部３３および内側小部屋部３４は、ケース２内の空間（収容室９）を収容室９内に設けられた隔壁１４Ａによって複数に区切ることで形成されている。隔壁１４Ａは、平面視において矩形状に形成された、角筒部分であり、底壁１１に固定されている。隔壁１４Ａの外側に外側小部屋部３３が形成され、隔壁１４Ａの内側に内側小部屋部３４が形成されている。
【００７５】
外側小部屋部３３は、ケース本体１０内において、周壁１２と隔壁１４Ａと底壁１１とによって形成されており、筒状の中空空間を形成している。一方、内側小部屋部３４は、ケース２内において、隔壁１４Ａと底壁１１とによって形成されており、柱状の中空空間を形成している。このような構成により、内側小部屋部３４の外周部は、外側小部屋部３３に取り囲まれており、これらの小部屋部３３，３４が互いに区切られている。
【００７６】
外側小部屋部３３の開口部は、開閉可能な外側小扉３１によって塞がれる。外側小扉３１は、矩形の平板状に形成されている。外側小扉３１は、外側小部屋部３３の開口部の全体を塞ぐように閉じられる。外側小扉３１は、ヒンジ部３１ａを介して周壁１２の後端部に取り付けられており、このヒンジ部３１ａ回りを回転することで、開閉動作する。
【００７７】
内側小部屋部３４の開口部は、開閉可能な内側小扉３２によって塞がれる。内側小扉３２は、矩形の平板状に形成されている。内側小扉３２は、内側小部屋部３４の開口部の全体を塞ぐように閉じられる。内側小扉３２は、ヒンジ部３２ａを介して隔壁１４Ａの後端部に取り付けられており、このヒンジ部３２ａ回りを回転することで、開閉動作する。
【００７８】
各小扉３１，３２において、ヒンジ部３１ａ，３２ａは、対応する周壁１２および隔壁１４Ａの四辺の何れか一辺に取り付けられていればよく、具体的な取付位置は限定されない。各小扉３１，３２は、互いに独立して開閉可能である。これにより、複数の小扉３１，３２の何れかから医療品１００を取り出す際に、当該医療品１００が収容されている小部屋部３３，３４の小扉３１，３２のみを開くことが可能である。
【００７９】
各小部屋部３３，３４には、スイッチ１５およびペルチェ素子８が設けられている。すなわち、１つの小部屋部１３毎にスイッチ１５およびペルチェ素子８が設けられている。
【００８０】
スイッチ１５は、対応する小部屋部３３，３４に医療品１００が挿入されたときにオンにされることでペルチェ素子８を駆動させるように構成されており、且つ、対応する小部屋部３３，３４から医療品１００が取り出されたときにオフにされることでペルチェ素子８の駆動を停止するように構成されている。各小部屋部３３，３４におけるスイッチ１５の設置場所は、特に限定されない。本実施形態では、相対的に広い外側小部屋部３３に複数のスイッチ１５が互いに離隔して設けられており、相対的に狭い内側小部屋部３４に１つのスイッチ１５が設けられている。
【００８１】
ペルチェ素子８は、例えば、底壁１１に取り付けられており、当該ペルチェ素子８の吸熱面が対応する小部屋部３３，３４の内側を向いている。上記の構成により、ペルチェ素子８は、電力を与えられることでケース２内の対応する小部屋部３３，３４を冷却する。
【００８２】
ペルチェ素子８は、同じ小部屋部１３に配置されたスイッチ１５を介して太陽電池ユニット６の各太陽電池２１〜２４およびバッテリ３と電気的に接続されている。
【００８３】
この第１変形例によると、外側小部屋部３３に対してケース２の内側に内側小部屋部３４が配置されている。そして、外側小扉３１と、内側小扉３２と、が設けられている。この構成によると、外気の影響を受けやすい外側小部屋部３３から外気の影響を受けにくい内側小部屋部３４へ順に医療品を取り出すことで、外気の影響をより受けにくい態様でより長時間に亘って医療品１００を医療用ポータブルボックス１Ａに収容しておくことができる。
【００８４】
＜第２変形例＞
図５は、本発明の第２変形例の主要部を示す断面図である。第２変形例に係る医療用ポータブルボックス１Ｂが医療用ポータブルボックス１と異なっているのは、ケース２Ｂのケース本体１０Ｂが二重構造にされているとともに、この二重部分にペルチェ素子４４，４５が配置されている点にある。
【００８５】
医療用ポータブルボックス１Ｂのケース本体１０Ｂは、中空構造に形成されており、底壁１１Ｂおよび周壁１２Ｂの内部が中空に形成されている。これにより、ケース本体１０Ｂ内には、底壁１１Ｂの略全域および周壁１２Ｂの略全域に亘って、空洞が形成されている。そして、ケース本体１０Ｂ内には、隔壁１４Ｂが形成されている。
【００８６】
隔壁１４Ｂは、ケース本体１０Ｂの外側面側と内側面側とを区切るように設けられている。隔壁１４Ｂは、周壁１２Ｂの外側面と内側面との間に配置されているとともに、底壁１１Ｂの底面１１ａと内側面との間に配置された、バスタブ形状の隔壁である。この隔壁１４Ｂが設けられていることにより、ケース２Ｂには、当該ケース２Ｂの外殻部４１に形成された外側中空部４２と、この外側中空部４２の内側に形成された内側中空部４３と、が設けられている。
【００８７】
そして、外側中空部４２に外側ペルチェ素子４４が配置されているとともに、内側中空部４３に内側ペルチェ素子４５が配置されている。
【００８８】
各ペルチェ素子４４，４５は、ペルチェ素子８と同様の構成を有する熱電素子である。すなわち、各ペルチェ素子４４，４５は、一対の熱伝達板の間に半導体が配置された構成を有しており、電流が流されることにより、一方の熱伝達板が吸熱するとともに他方の熱伝達板が熱を放出するように構成されている。
【００８９】
外側ペルチェ素子４４は、例えば、底壁１１Ｂに取り付けられており、当該外側ペルチェ素子４４の吸熱面が外側中空部４２内を向いている。これにより、外側ペルチェ素子４４は、電力を与えられることで外側中空部４２を冷却する。内側ペルチェ素子４５は、例えば、隔壁１４Ｂの底部に取り付けられており、当該内側ペルチェ素子４５の吸熱面が内側中空部４３内を向いている。これにより、内側ペルチェ素子４５は、電力を与えられることで内側中空部４３を冷却する。
【００９０】
各ペルチェ素子４４，４５は、底壁１１Ｂの底面１１ａまで延びている。各ペルチェ素子４４，４５の発熱面は、底壁１１Ｂの底面１１ａに開放されており、この底面１１ａ側からケース２Ｂの外部に向けて放熱するように構成されている。なお、各ペルチェ素子４４，４５の発熱面にアルミニウム等の熱伝導性に優れた材料で形成されたヒートシンクを設けてこのヒートシンクを底壁１１Ｂの底面１１ａに露呈させてもよい。この場合、ペルチェ素子４４，４５からの熱は、ヒートシンクを介してケース２Ｂの外部へ放出される。また、本実施形態では、外側中空部４２および内側中空部４３のそれぞれに１つのペルチェ素子４４，４５を配置する形態を例に説明するけれども、この通りでなくてもよい。例えば、各中空部４２，４３に複数のペルチェ素子を設置してもよい。
【００９１】
本実施形態では、外側ペルチェ素子４４の駆動態様と内側ペルチェ素子４５の駆動態様とが異ならされている。例えば、外側ペルチェ素子４４の冷却性能（単位時間当たりの吸熱量）が、内側ペルチェ素子４５の冷却性能よりも大きくされている。これにより、高温地帯等において、高温の外気からの熱がケース２Ｂの収容室９内に進入することをより確実に抑制できる。
【００９２】
なお、内側ペルチェ素子４５の冷却性能が、外側ペルチェ素子４４の冷却性能よりも大きくされていてもよい。この場合も、内側ペルチェ素子４５によって、収容室９内の医療品１００を効果的に冷却できる。
【００９３】
各ペルチェ素子４４，４５は、太陽電池２１〜２４と電気的に接続されており、太陽電池２１〜２４およびバッテリ３の少なくとも一方からの電力によって動作するように構成されている。なお、各ペルチェ素子４４，４５をオン／オフするスイッチが設けられてもよい。
【００９４】
以上説明したように、第２変形例によると、外側中空部４２に外側ペルチェ素子４４が設けられているとともに、内側中空部４３に内側ペルチェ素子４５が設けられている。そして、外側ペルチェ素子４４の駆動態様と内側ペルチェ素子４５の駆動態様とが異ならされている。この構成によると、内側ペルチェ素子４５と外側ペルチェ素子４４を、ケース２Ｂ内の温度調整効果をより高くできるような態様で、動作させることができる。
【００９５】
なお、本第２変形例において、外側ペルチェ素子４４の駆動態様と内側ペルチェ素子４５の駆動態様とが同じであってもよい。
【００９６】
＜第３変形例＞
図６は、本発明の第３変形例の主要部を示す断面図である。第３変形例に係る医療用ポータブルボックス１Ｃが医療用ポータブルボックス１Ｂと異なっているのは、ケース２Ｂの二重構造において、外側中空部４２と内側中空部４３とが連通しており、これら外側中空部４２と内側中空部４３との間で空気が循環するように構成されている点にある。
【００９７】
隔壁１４Ｂの例えば周壁のうち、左右に離隔した複数箇所に、外側中空部４２と内側中空部４３とを互いに連通させる通気口５１，５２が設けられている。
【００９８】
そして、例えば外側中空部４２に外側ペルチェ素子４４およびファン５３が配置されている。
【００９９】
ファン５３は、外側中空部４２と内側中空部４３との間で空気を流動させるように構成されている。ファン５３として、軸流ファン、クロスフローファン等の種々のファンを例示できる。ファン５３は、各太陽電池２１〜２４およびバッテリ３と電気的に接続されており、各太陽電池２１〜２４およびバッテリ３の少なくとも一部からの電力によって駆動する。ファン５３の駆動により、外側中空部４２と内側中空部４３との間を空気が循環する。これにより、外側ペルチェ素子４４で冷却された空気は、一方の通気口５１を通って内側中空部４３へ至り、次いで、他方の通気口５２を通って外側中空部４２へ戻る。このように、空気が外側中空部４２と内側中空部４３とを循環することにより、ケース２Ｂが冷却される。
【０１００】
なお、内側中空部４３に内側ペルチェ素子４５（図６では図示せず）が設置されていてもよい。この場合、外側ペルチェ素子４４は、設けられていてもよいし、設けられていなくてもよい。すなわち、外側ペルチェ素子４４および内側ペルチェ素子４５の少なくとも一方が対応する外側中空部４２および内側中空部４３に配置されていればよい。また、ファン５３は、外側中空部４２および内側中空部４３の少なくとも一方に配置されていればよい。
【０１０１】
また、本第３変形例では、保冷剤５４を収容するための保冷剤収容部５５が設けられている。保冷剤収容部５５は、例えば、ケース２Ｂの周壁１２Ｂの外側面寄りに形成されており、外側中空部４２に配置されている。保冷剤収容部５５は、保冷剤５４を収容する空間を形成しているとともに、この空間がケース２Ｂの外方に開放されている。そして、この保冷剤収容部５５を塞ぐカバー５６が、ケース本体１０Ｂに着脱可能に設けられている。保冷剤５４は、保冷剤収容部５５に取り外し可能に収容される。
【０１０２】
この第３変形例によると、ペルチェ素子８，４４，４５と協働して、または、ペルチェ素子８，４４，４５が停止したときのバックアップ用冷却剤として、保冷剤５４によるケース２内の保冷を行うことができる。
【０１０３】
また、外側中空部４２と内側中空部４３との間で空気をファン５３によって流動させることにより、ケース２Ｂ内部の温度を調整できる。
【０１０４】
＜第４変形例＞
図７は、本発明の第４変形例の模式的な側面図である。第４変形例では、シャッター６１によって医療用ポータブルボックス１Ｄの開閉が行われる。
【０１０５】
医療用ポータブルボックス１Ｄは、ケース２Ｄと、バッテリ３と、太陽電池６２と、ペルチェ素子８と、スイッチ１５と、を有している。
【０１０６】
ケース２Ｄは、医療品１００を収容するための収容室９Ｄを形成する、医療用ポータブルボックス１Ｄの本体部として設けられている。ケース２Ｄは、ケース本体１０Ｄと、シャッター６１と、を有している。
【０１０７】
ケース本体１０Ｄは、中空の箱形形状に形成されており、前面および上面が開放されている。ケース本体１０Ｄ内の収容室９Ｄに、バッテリ３が取り付けられている。収容室９Ｄ内には、スイッチ１５およびペルチェ素子８が設けられている。
【０１０８】
スイッチ１５は、収容室９Ｄに医療品１００が挿入されたときにオンにされることでペルチェ素子８を駆動させるように構成されており、且つ、収容室９Ｄから医療品１００が取り出されたときにオフにされることでペルチェ素子８の駆動を停止するように構成されている。スイッチ１５は、例えば、ケース本体１０Ｄの底壁上に配置されている。
【０１０９】
ペルチェ素子８は、例えば、ケース本体１０Ｄの底壁に取り付けられており、当該ペルチェ素子８の吸熱面が収容室９Ｄの内側を向いている。これにより、ペルチェ素子８は、電力を与えられることでケース本体１０Ｄ内の収容室９Ｄを冷却する。
【０１１０】
ペルチェ素子８の発熱面は、ケース本体１０Ｄの底壁の底面に開放されており、この底面側からケース２Ｄの外部に向けて放熱するように構成されている。なお、ペルチェ素子８の発熱面にアルミニウム等の熱伝導性に優れた材料で形成されたヒートシンクを設けてこのヒートシンクをケース本体１０Ｄの底壁の底面に露呈させてもよい。この場合、ペルチェ素子８からの熱は、ヒートシンクを介してケース２Ｄの外部へ放出される。また、本第４変形例では、１つのペルチェ素子８を配置する形態を例に説明するけれども、この通りでなくてもよい。例えば、複数のペルチェ素子８が設置されてもよい。
【０１１１】
ペルチェ素子８に電力を供給するための太陽電池６２は、例えば、ケース２Ｄの側壁の外側面に取り付けられている。
【０１１２】
シャッター６１は、ケース本体１０Ｄの開口部１０ａＤを開閉するために設けられている。シャッター６１は、ケース１０Ｄの周壁の内側面に設けられたレールに沿ってスライドすることで、ケース２Ｄの左右両側の前端縁および左右両側の上端縁間を開いた状態と、開いた状態とを切り替える。
【０１１３】
太陽電池６２は、図示しない電線を介してスイッチ１５およびペルチェ素子８と電気的に接続されている。また、太陽電池６２は、バッテリ３にも接続されており、バッテリ３を充電可能である。バッテリ３は、図示しない電線を介してスイッチ１５および各ペルチェ素子８と電気的に接続されている。
【０１１４】
この第５変形例によると、ケース２Ｄの前方および上方のより広い領域から医療品１００を出し入れできる。
【０１１５】
＜その他の変形例＞
図８（Ａ）は、別の変形例の主要部を示す模式的な斜視図である。スイッチ１５に代えて、図８（Ａ）に示すようなスイッチ１５Ｅを用いてペルチェ素子のオン／オフが制御されてもよい。スイッチ１５Ｅは、軸部７１と、軸部７１に貫通された一対のスイッチ部材７２，７３と、を有している。スイッチ部材７２，７３は、ブロック状に形成されている。各スイッチ部材７２，７３は、軸部７１回りを回転可能に構成されているとともに、対応するバネ部材７４，７５によって、外力を受けていないときに互いに真っ直ぐに並ぶように配置されている。そして、ケース内に医療品１００が挿入されることで、この医療品１００と例えば一方のスイッチ部材７２とが接触し、一方のスイッチ部材７２が他方のスイッチ部材７３に対して回転する。これにより、各スイッチ部材７２，７３に設けられた接点部７６，７７が互いに接触することで、スイッチ１５Ｅがオンとなる。一方、ケースから医療品１００が取り出されることで、この医療品１００と一方のスイッチ部材７２との接触が解除され、一方のスイッチ部材７２がバネ部材７４の弾性復元力によって他方のスイッチ部材７３に対して回転する。これにより、各スイッチ部材７２，７３に設けられた接点部７６，７７の接触が解除されることで、スイッチ１５Ｅがオフとなる。
【０１１６】
また、図８（Ｂ）は、さらなる別の変形例の主要部を示す模式的な斜視図である。スイッチ１５に代えて、図８（Ｂ）に示すようなスイッチ１５Ｆを用いてペルチェ素子のオン／オフが制御されてもよい。スイッチ１５Ｅは、軸部７１と、軸部７１に貫通された一対のスイッチ部材７２，７３と、を有している。各スイッチ部材７２，７３は、軸部７１に沿ってスライド可能に構成されているとともに、バネ部材７４，７５によって、外力を受けていないときに互いに離隔するように配置されている。そして、ケース内に医療品１００が挿入されることで、この医療品１００と例えば一方のスイッチ部材７２とが接触し、一方のスイッチ部材７２が他方のスイッチ部材７３側へスライドする。これにより、各スイッチ部材７２，７３に設けられた接点部７６，７７が互いに接触することで、スイッチ１５Ｆがオンとなる。一方、ケースから医療品１００が取り出されることで、この医療品１００と一方のスイッチ部材７２との接触が解除されると、一方のスイッチ部材７２が他方のスイッチ部材７３からバネ部材７４の弾性復元力によって離隔する。これにより、各スイッチ部材７２，７３に設けられた接点部７６，７７の接触が解除されることで、スイッチ１５Ｆがオフとなる。
【産業上の利用可能性】
【０１１７】
本発明は、医療用ポータブルボックスとして、広く適用することができる。
【符号の説明】
【０１１８】
１，１Ａ，１Ｂ，１Ｃ，１Ｄ  医療用ポータブルボックス
２，２Ｂ，２Ｄ  ケース
４  小扉
７  集光用パネル
８  ペルチェ素子
１３  小部屋部
１５，１５Ｅ，１５Ｆ  スイッチ
２１〜２４，６２  太陽電池
２６  受光面
３１  外側小扉（小扉）
３２  内側小扉（小扉）
３３  外側小部屋部（小部屋部）
３４  内側小部屋部（小部屋部）
４１  ケースの外殻部
４２  外側中空部
４３  内側中空部
４４  外側ペルチェ素子（ペルチェ素子）
４５  内側ペルチェ素子（ペルチェ素子）
５１，５２  通気口
５３  ファン
５４  保冷剤
５５  保冷剤収容部
【図１】
2019080858.tif 000003
【図２】
2019080858.tif 000004
【図３】
2019080858.tif 000005
【図４】
2019080858.tif 000006
【図５】
2019080858.tif 000007
【図６】
2019080858.tif 000008
【図７】
2019080858.tif 000009
【図８】
2019080858.tif 000010